(57)【要約】【課題】表示スペースを節約して複数の測定チャネルのパラメータ設定を可能にする。【解決手段】測定装置１は、被測定物Ｗの測定に必要なパラメータを設定するためのパラメータ設定画面６ａと、測定波形を表示する波形表示画面６ｂとを表示部６の一つの表示画面上に表示するもので、複数の測定チャネルＣｈＡ，ＣｈＢ，ＣｈＣ，ＣｈＤの中からパラメータ設定画面６ａを表示するアクティブ測定チャネルを設定するとともに、複数の測定チャネルそれぞれに対応する測定チャネルキー２ａのＯｎ／Ｏｆｆを設定する設定操作部２と、Ｏｎ状態の測定チャネルキー２ａの全てを選択するための全測定チャネル選択キー２ｂがＯｎ状態でアクティブ測定チャネルに設定された測定チャネルのパラメータが変更されたときに、このパラメータの変更に合わせて他の測定チャネルのパラメータを変更するパラメータ制御部４とを備える。【選択図】図１
2020016953.tif 000002
【特許請求の範囲】
【請求項１】
１または複数の被測定物（Ｗ）の測定に必要なパラメータを設定するためのパラメータ設定画面（６ａ）と、前記測定によって得られる波形を表示する波形表示画面（６ｂ）とを表示部（６）の一つの表示画面上に表示する測定装置（１）であって、
複数の測定チャネル（ＣｈＡ，ＣｈＢ，ＣｈＣ，ＣｈＤ）の中から前記パラメータ設定画面を表示するアクティブ測定チャネルを設定するとともに、前記複数の測定チャネルそれぞれに対応する測定チャネルキー（２ａ）のＯｎ／Ｏｆｆを設定する設定操作部（２）と、
Ｏｎ状態の前記測定チャネルキーの全てを選択するための全測定チャネル選択キー（２ｂ）がＯｎ状態で前記アクティブ測定チャネルに設定された測定チャネルのパラメータが変更されたときに、このパラメータの変更に合わせてＯｎ／Ｏｆｆ状態にかかわらず他の測定チャネルのパラメータを変更するパラメータ制御部（４）とを備えたことを特徴とする測定装置。
【請求項２】
１または複数の被測定物（Ｗ）の測定に必要なパラメータを設定するためのパラメータ設定画面（６ａ）と、前記測定によって得られる波形を表示する波形表示画面（６ｂ）とを表示部（６）の一つの表示画面上に表示する測定装置（１）であって、
複数の測定チャネル（ＣｈＡ，ＣｈＢ，ＣｈＣ，ＣｈＤ）の中から前記パラメータ設定画面を表示するアクティブ測定チャネルを設定するとともに、前記複数の測定チャネルそれぞれに対応する測定チャネルキー（２ａ）のＯｎ／Ｏｆｆを設定する設定操作部（２）と、
Ｏｎ状態の前記測定チャネルキーの全てを選択するための全測定チャネル選択キー（２ｂ）がＯｎ状態で前記アクティブ測定チャネルに設定された測定チャネルのパラメータが変更されたときに、このパラメータの変更に合わせてＯｎ状態の他の測定チャネルのパラメータを変更するパラメータ制御部（４）とを備えたことを特徴とする測定装置。
【請求項３】
１または複数の被測定物（Ｗ）の測定に必要なパラメータを設定するためのパラメータ設定画面（６ａ）と、前記測定によって得られる波形を表示する波形表示画面（６ｂ）とを表示部（６）の一つの表示画面上に表示する測定装置（１）のパラメータ設定方法であって、
複数の測定チャネル（ＣｈＡ，ＣｈＢ，ＣｈＣ，ＣｈＤ）の中から前記パラメータ設定画面を表示するアクティブ測定チャネルを設定するステップと、
前記複数の測定チャネルそれぞれに対応する測定チャネルキー（２ａ）のＯｎ／Ｏｆｆを設定するステップと、
Ｏｎ状態の前記測定チャネルキーの全てを選択するための全測定チャネル選択キー（２ｂ）がＯｎ状態で前記アクティブ測定チャネルに設定された測定チャネルのパラメータが変更されたときに、このパラメータの変更に合わせてＯｎ／Ｏｆｆ状態にかかわらず他の測定チャネルのパラメータを変更するステップとを含むことを特徴とする測定装置のパラメータ設定方法。
【請求項４】
１または複数の被測定物（Ｗ）の測定に必要なパラメータを設定するためのパラメータ設定画面（６ａ）と、前記測定によって得られる波形を表示する波形表示画面（６ｂ）とを表示部（６）の一つの表示画面上に表示する測定装置（１）のパラメータ設定方法であって、
複数の測定チャネル（ＣｈＡ，ＣｈＢ，ＣｈＣ，ＣｈＤ）の中から前記パラメータ設定画面を表示するアクティブ測定チャネルを設定するステップと、
前記複数の測定チャネルそれぞれに対応する測定チャネルキー（２ａ）のＯｎ／Ｏｆｆを設定するステップと、
Ｏｎ状態の前記測定チャネルキーの全てを選択するための全測定チャネル選択キー（２ｂ）がＯｎ状態で前記アクティブ測定チャネルに設定された測定チャネルのパラメータが変更されたときに、このパラメータの変更に合わせてＯｎ状態の他の測定チャネルのパラメータを変更するステップとを含むことを特徴とする測定装置のパラメータ設定方法。
【請求項５】
前記パラメータ制御部（４）は、前記全測定チャネル選択キー（２ｂ）がＯｆｆ状態からＯｎ状態に切り替わった時点では、前記アクティブ測定チャネルに設定された測定チャネルのパラメータをＯｎ／Ｏｆｆ状態にかかわらず他の測定チャネルのパラメータに反映する設定変更を禁止することを特徴とする請求項１に記載の測定装置。
【請求項６】
前記パラメータ制御部（４）は、前記全測定チャネル選択キー（２ｂ）がＯｆｆ状態からＯｎ状態に切り替わった時点では、前記アクティブ測定チャネルに設定された測定チャネルのパラメータをＯｎ状態の他の測定チャネルのパラメータに反映する設定変更を禁止することを特徴とする請求項２に記載の測定装置。
【請求項７】
前記全測定チャネル選択キー（２ｂ）がＯｆｆ状態からＯｎ状態に切り替わった時点では、前記アクティブ測定チャネルに設定された測定チャネルのパラメータをＯｎ／Ｏｆｆ状態にかかわらず他の測定チャネルのパラメータに反映する設定変更を禁止するステップを含むことを特徴とする請求項３に記載の測定装置のパラメータ設定方法。
【請求項８】
前記全測定チャネル選択キー（２ｂ）がＯｆｆ状態からＯｎ状態に切り替わった時点では、前記アクティブ測定チャネルに設定された測定チャネルのパラメータをＯｎ状態の他の測定チャネルのパラメータに反映する設定変更を禁止するステップを含むことを特徴とする請求項４に記載の測定装置のパラメータ設定方法。
【発明の詳細な説明】
【技術分野】
【０００１】
本発明は、被測定物の測定に必要なパラメータを設定するためのパラメータ設定画面と、測定によって得られる波形を表示する波形表示画面とを一つの表示画面上に表示する測定装置および該装置のパラメータ設定方法に関する。
【背景技術】
【０００２】
従来、被測定物の測定に必要なパラメータを設定するためのパラメータ設定画面と、測定によって得られる波形を表示する波形表示画面とを一つの表示画面上に表示する測定装置としては、例えば下記特許文献１に開示されるものが知られている。
【先行技術文献】
【特許文献】
【０００３】
【特許文献１】特開２０１１−１２９０９８号公報
【発明の概要】
【発明が解決しようとする課題】
【０００４】
ところで、上述した従来の測定装置において、複数の測定チャネルの測定を行う場合には、測定チャネルのチャネル数分のパラメータを設定するためのパラメータ設定画面を表示画面上に表示する必要がある。例えば測定チャネルが４チャネルの場合には、図８に示すように、４チャネル分のパラメータ（例えばＳｉｇｎａｌ  Ｔｙｐｅ、Ｉｎｐｕｔ  Ｃｏｎｎｅｃｔｏｒなど）を設定するためのパラメータ設定画面１１が表示画面上に表示される。このため、パラメータ設定画面１１の表示スペースが測定チャネルのチャネル数が増えるほど大きくなり、このパラメータ設定画面１１と並べて波形表示画面を表示すると、パラメータ設定画面１１が波形表示画面に重なる領域の割合も増えてしまう。その結果、波形表示画面の波形の状態を観察しながら測定チャネルのパラメータを変更することが困難になるという問題が生じる。
【０００５】
しかも、図８の複数の測定チャネルに対応したパラメータ設定画面１１では、複数の測定チャネルの各パラメータに同じ設定を行う場合、チャネル数×パラメータ数の操作ステップが必要になり、測定チャネルが増えるごとに設定回数も増え、設定時におけるユーザの負担が増すだけでなく設定時間も要するという問題が生じる。例えば測定チャネルが４チャネルで８つのパラメータ全てを同じに変更する場合には、４チャネル×８パラメータ＝３２回の操作が必要になる。
【０００６】
そこで、本発明は上記問題点に鑑みてなされたものであって、表示スペースを節約して複数の測定チャネルのパラメータを設定することができる測定装置および測定方法を提供することを目的としている。
【課題を解決するための手段】
【０００７】
上記目的を達成するため、本発明の請求項１に記載された測定装置は、１または複数の被測定物Ｗの測定に必要なパラメータを設定するためのパラメータ設定画面６ａと、前記測定によって得られる波形を表示する波形表示画面６ｂとを表示部６の一つの表示画面上に表示する測定装置１であって、
複数の測定チャネルＣｈＡ，ＣｈＢ，ＣｈＣ，ＣｈＤの中から前記パラメータ設定画面を表示するアクティブ測定チャネルを設定するとともに、前記複数の測定チャネルそれぞれに対応する測定チャネルキー２ａのＯｎ／Ｏｆｆを設定する設定操作部２と、
Ｏｎ状態の前記測定チャネルキーの全てを選択するための全測定チャネル選択キー２ｂがＯｎ状態で前記アクティブ測定チャネルに設定された測定チャネルのパラメータが変更されたときに、このパラメータの変更に合わせてＯｎ／Ｏｆｆ状態にかかわらず他の測定チャネルのパラメータを変更するパラメータ制御部４とを備えたことを特徴とする。
【０００８】
請求項２に記載された測定装置は、１または複数の被測定物Ｗの測定に必要なパラメータを設定するためのパラメータ設定画面６ａと、前記測定によって得られる波形を表示する波形表示画面６ｂとを表示部６の一つの表示画面上に表示する測定装置１であって、
複数の測定チャネルＣｈＡ，ＣｈＢ，ＣｈＣ，ＣｈＤの中から前記パラメータ設定画面を表示するアクティブ測定チャネルを設定するとともに、前記複数の測定チャネルそれぞれに対応する測定チャネルキー２ａのＯｎ／Ｏｆｆを設定する設定操作部２と、
Ｏｎ状態の前記測定チャネルキーの全てを選択するための全測定チャネル選択キー２ｂがＯｎ状態で前記アクティブ測定チャネルに設定された測定チャネルのパラメータが変更されたときに、このパラメータの変更に合わせてＯｎ状態の他の測定チャネルのパラメータを変更するパラメータ制御部４とを備えたことを特徴とする。
【０００９】
請求項３に記載された測定方法は、１または複数の被測定物Ｗの測定に必要なパラメータを設定するためのパラメータ設定画面６ａと、前記測定によって得られる波形を表示する波形表示画面６ｂとを表示部６の一つの表示画面上に表示する測定装置１のパラメータ設定方法であって、
複数の測定チャネルＣｈＡ，ＣｈＢ，ＣｈＣ，ＣｈＤの中から前記パラメータ設定画面を表示するアクティブ測定チャネルを設定するステップと、
前記複数の測定チャネルそれぞれに対応する測定チャネルキー２ａのＯｎ／Ｏｆｆを設定するステップと、
Ｏｎ状態の前記測定チャネルキーの全てを選択するための全測定チャネル選択キー２ｂがＯｎ状態で前記アクティブ測定チャネルに設定された測定チャネルのパラメータが変更されたときに、このパラメータの変更に合わせてＯｎ／Ｏｆｆ状態にかかわらず他の測定チャネルのパラメータを変更するステップとを含むことを特徴とする。
【００１０】
請求項４に記載された測定方法は、１または複数の被測定物Ｗの測定に必要なパラメータを設定するためのパラメータ設定画面６ａと、前記測定によって得られる波形を表示する波形表示画面６ｂとを表示部６の一つの表示画面上に表示する測定装置１のパラメータ設定方法であって、
複数の測定チャネルＣｈＡ，ＣｈＢ，ＣｈＣ，ＣｈＤの中から前記パラメータ設定画面を表示するアクティブ測定チャネルを設定するステップと、
前記複数の測定チャネルそれぞれに対応する測定チャネルキー２ａのＯｎ／Ｏｆｆを設定するステップと、
Ｏｎ状態の前記測定チャネルキーの全てを選択するための全測定チャネル選択キー２ｂがＯｎ状態で前記アクティブ測定チャネルに設定された測定チャネルのパラメータが変更されたときに、このパラメータの変更に合わせてＯｎ状態の他の測定チャネルのパラメータを変更するステップとを含むことを特徴とする。
【００１１】
請求項５に記載された測定装置は、請求項１の測定装置において、
前記パラメータ制御部４は、前記全測定チャネル選択キー２ｂがＯｆｆ状態からＯｎ状態に切り替わった時点では、前記アクティブ測定チャネルに設定された測定チャネルのパラメータをＯｎ／Ｏｆｆ状態にかかわらず他の測定チャネルのパラメータに反映する設定変更を禁止することを特徴とする。
【００１２】
請求項６に記載された測定装置は、請求項２の測定装置において、
前記パラメータ制御部４は、前記全測定チャネル選択キー２ｂがＯｆｆ状態からＯｎ状態に切り替わった時点では、前記アクティブ測定チャネルに設定された測定チャネルのパラメータをＯｎ状態の他の測定チャネルのパラメータに反映する設定変更を禁止することを特徴とする。
【００１３】
請求項７に記載された測定方法は、請求項３の測定方法において、
前記全測定チャネル選択キー２ｂがＯｆｆ状態からＯｎ状態に切り替わった時点では、前記アクティブ測定チャネルに設定された測定チャネルのパラメータをＯｎ／Ｏｆｆ状態にかかわらず他の測定チャネルのパラメータに反映する設定変更を禁止するステップを含むことを特徴とする。
【００１４】
請求項８に記載された測定方法は、請求項４の測定方法において、
前記全測定チャネル選択キー２ｂがＯｆｆ状態からＯｎ状態に切り替わった時点では、前記アクティブ測定チャネルに設定された測定チャネルのパラメータをＯｎ状態の他の測定チャネルのパラメータに反映する設定変更を禁止するステップを含むことを特徴とする。
【発明の効果】
【００１５】
本発明によれば、パラメータ設定画面の表示スペースが１チャネル分で済むので、複数の測定チャネルごとにパラメータを変更する従来の手法と比較して、表示スペースを節約することができる。これにより、パラメータ設定画面と波形表示画面とを一つの表示画面上に重なることなく並べて表示し、波形表示画面の波形の状態を観察しながら測定チャネルのパラメータを変更することができる。また、余った表示スペースに他の表示内容を分配することもでき、従来に比べて操作性や視認性が向上する。
【００１６】
また、複数の測定チャネルのパラメータに同一の設定を行う場合には、操作のステップ数を減らすことができる。さらに、複数の測定チャネルで、同一にしたい設定と個別にしたい設定が存在する場合にも対応できる。
【図面の簡単な説明】
【００１７】
【図１】本発明に係る測定装置の概略構成を示すブロック図である。
【図２】本発明に係る測定装置の表示画面の一例を示す図である。
【図３】本発明に係る測定装置のパラメータ設定方法の概略を示すフローチャートである。
【図４】測定チャネルのパラメータを設定する場合の動作例の説明図である。
【図５】測定チャネルのパラメータを設定する場合の動作例の説明図である。
【図６】測定チャネルのパラメータを設定する場合の動作例の説明図である。
【図７】測定チャネルのパラメータを設定する場合の動作例の説明図である。
【図８】従来の測定装置の表示画面の一例を示す図である。
【発明を実施するための形態】
【００１８】
以下、本発明を実施するための形態について、添付した図面を参照しながら詳細に説明する。
【００１９】
［測定装置の構成について］
図１に示すように、測定装置１は、複数の測定チャネルを有し、設定操作部２、測定部３（３Ａ，３Ｂ，３Ｃ，３Ｄ）、パラメータ制御部４、表示制御部５、表示部６を備えて概略構成される。
【００２０】
なお、測定チャネルは、チャネル数が限定されるものではないが、本実施の形態では測定チャネルがＣｈＡ，ＣｈＢ，ＣｈＣ，ＣｈＤの４チャネルの場合を例にとって説明する。
【００２１】
測定装置１は、誤り率を測定する誤り率測定装置や信号波形を表示する波形表示装置などであって、各測定チャネルＣｈＡ，ＣｈＢ，ＣｈＣ，ＣｈＤに設定されたパラメータに基づき被測定物Ｗから入力される信号に対して所望の測定（誤り率の測定、振幅の測定など）を行う。
【００２２】
設定操作部２は、被測定物Ｗの測定の開始／停止の指示、１または複数の被測定物Ｗの測定に必要な各測定チャネルＣｈＡ，ＣｈＢ，ＣｈＣ，ＣｈＤのパラメータの設定を含む被測定物Ｗの各種測定に関わる設定を行う際に操作される。
【００２３】
設定操作部２は、例えば装置本体に設けられるキー、ボタン、スイッチの他、図２に示すように、表示部６の表示画面上の測定チャネルキー２ａ（２ａ１，２ａ２，２ａ３，２ａ４）や全測定チャネル選択キー２ｂなどのソフトキーを含む。
【００２４】
測定チャネルキー２ａ（２ａ１，２ａ２，２ａ３，２ａ４）は、図２に示すように、各測定チャネルＣｈＡ，ＣｈＢ，ＣｈＣ，ＣｈＤに対応して設けられるソフトキーであり、例えば１回押すごとにＯｎ／Ｏｆｆが切り替わる。
【００２５】
なお、測定チャネルキー２ａ（２ａ１，２ａ２，２ａ３，２ａ４）は、アクティブ測定チャネルに設定された際にＯｎ状態にロックするのが好ましい。
【００２６】
全測定チャネル選択キー２ｂは、図２に示すように、測定チャネルキー２ａに並設され、Ｏｎ状態の全ての測定チャネルキー２ａを選択するソフトキーであり、例えば１回押すごとにＯｎ／Ｏｆｆが切り替わる。
【００２７】
なお、測定チャネルキー２ａや全測定チャネル選択キー２ｂは、図２に示すような表示部６の表示画面上のソフトキーに限定されるものではなく、例えば装置本体に設けられるキー、ボタン、スイッチなどで構成してＯｎ／Ｏｆｆを切り替えることもできる。
【００２８】
また、設定操作部２は、アクティブ測定チャネルとして、測定チャネルＣｈＡ，ＣｈＢ，ＣｈＣ，ＣｈＤの中から表示部６の表示画面上に表示するパラメータ設定画面６ａの測定チャネル（ＣｈＡ，ＣｈＢ，ＣｈＣ，ＣｈＤの何れか）を選択して設定する際に操作される。例えば図２に示すように、測定チャネルＣｈＡがアクティブ測定チャネルとして設定操作部２にて設定されると、測定チャネルＣｈＡのパラメータ設定画面６ａが表示部６の表示画面上に表示される。
【００２９】
測定部３（３Ａ，３Ｂ，３Ｃ，３Ｄ）は、測定チャネルＣｈＡ，ＣｈＢ，ＣｈＣ，ＣｈＤに対応した数分だけ設けられ、設定されたパラメータに基づいて被測定物Ｗから入力される信号に対して所望の測定を行うものであり、信号測定部３ａと波形測定部３ｂを備える。
【００３０】
信号測定部３ａは、設定されたパラメータに基づいて被測定物Ｗから入力される信号の測定を行い、この信号の測定によって得られる測定データを表示制御部５に出力する。例えば信号測定部３ａが誤り率検出器の場合には、不図示のパルスパターン発生器からのテスト信号を被測定物Ｗを介して受信し、受信した信号と既知のパターン信号のビットを比較し、この比較結果から全ビット中で誤ったビットの数から誤り率を算出して測定し、測定データを表示制御部５に出力する。
【００３１】
波形測定部３ｂは、設定されたパラメータに基づいて被測定物Ｗから入力される信号の波形測定を行い、この波形測定によって得られる波形データを表示制御部５に出力する。
【００３２】
パラメータ制御部４は、測定チャネルＣｈＡ，ＣｈＢ，ＣｈＣ，ＣｈＤのパラメータの設定を行う際に、アクティブ測定チャネルに設定された測定チャネルの判別、各測定チャネルＣｈＡ，ＣｈＢ，ＣｈＣ，ＣｈＤの測定チャネルキー２ａのＯｎ／Ｏｆｆの判別、全測定チャネル選択キー２ｂのＯｎ／Ｏｆｆの判別、全測定チャネル選択キー２ｂのＯｎ／Ｏｆｆ時におけるアクティブ測定チャネルのパラメータの変更の有無の判別を行い、これらの判別結果に基づいて各測定部３（３Ａ，３Ｂ，３Ｃ，３Ｄ）に設定されるパラメータを制御する。
【００３３】
さらに説明すると、パラメータ制御部４は、パラメータ設定画面６ａを表示部６の表示画面上に表示するアクティブ測定チャネルが測定チャネルＣｈＡ，ＣｈＢ，ＣｈＣ，ＣｈＤの中から選択設定され、各測定チャネルＣｈＡ，ＣｈＢ，ＣｈＣ，ＣｈＤの測定チャネルキー２ａ１，２ａ２，２ａ３，２ａ４のＯｎ／Ｏｆｆが設定されると、全測定チャネル選択キー２ｂがＯｎか否かを判別する。
【００３４】
パラメータ制御部４は、全測定チャネル選択キー２ｂがＯｎ状態のときに、アクティブ測定チャネルに設定された測定チャネルのパラメータに変更があるか否かを判別する。
【００３５】
パラメータ制御部４は、全測定チャネル選択キー２ｂがＯｆｆ状態のときに、アクティブ測定チャネルに設定された測定チャネルのパラメータに変更があるか否かを判別する。
【００３６】
パラメータ制御部４は、全測定チャネル選択キー２ｂがＯｎ状態でアクティブ測定チャネルに設定された測定チャネルのパラメータに変更があると、アクティブ測定チャネルに設定された測定チャネルのパラメータの変更に合わせ、Ｏｎ／Ｏｆｆ状態にかかわらず他の測定チャネルのパラメータを変更する。
【００３７】
なお、パラメータ制御部４は、全測定チャネル選択キー２ｂがＯｎ状態でアクティブ測定チャネルに設定された測定チャネルのパラメータに変更があると、アクティブ測定チャネルに設定された測定チャネルのパラメータの変更に合わせ、Ｏｎ状態の他の測定チャネルのパラメータを変更することもできる。
【００３８】
さらに、パラメータ制御部４は、全測定チャネル選択キー２ｂがＯｆｆ状態でアクティブ測定チャネルに設定された測定チャネルのパラメータに変更があると、アクティブ測定チャネルに設定された測定チャネルのみのパラメータを変更する。
【００３９】
また、パラメータ制御部４は、全測定チャネル選択キー２ｂがＯｆｆ状態からＯｎ状態に切り替わった時点では、アクティブ測定チャネルに設定された測定チャネルのパラメータをＯｎ／Ｏｆｆ状態にかかわらず他の測定チャネルのパラメータに反映する測定チャネルＣｈＡ，ＣｈＢ，ＣｈＣ，ＣｈＤのパラメータの変更を行わずに禁止する。
【００４０】
なお、パラメータ制御部４は、全測定チャネル選択キー２ｂがＯｆｆ状態からＯｎ状態に切り替わった時点では、アクティブ測定チャネルに設定された測定チャネルのパラメータをＯｎ状態の他の測定チャネルのパラメータに反映する測定チャネルＣｈＡ，ＣｈＢ，ＣｈＣ，ＣｈＤのパラメータの変更を行わずに禁止することもできる。
【００４１】
表示制御部５は、設定操作部２にて設定される設定情報、パラメータ制御部４の判別結果、各測定部３（３Ａ，３Ｂ，３Ｃ，３Ｄ）からの測定信号（測定データ、波形データなど）に基づいて表示部６の表示を制御する。
【００４２】
表示部６は、例えば液晶表示器などの表示機器で構成され、表示制御部６の制御により、測定部３（３Ａ，３Ｂ，３Ｃ，３Ｄ）による各測定チャネルＣｈＡ，ＣｈＢ，ＣｈＣ，ＣｈＤごとの測定結果の表示などを行う。
【００４３】
また、表示部６は、各測定チャネルＣｈＡ，ＣｈＢ，ＣｈＣ，ＣｈＤのパラメータの設定を行う際、表示制御部５の制御により、アクティブ測定チャネルに設定された測定チャネルのパラメータを設定するためのパラメータ設定画面６ｂと、測定によって得られる波形を表示する波形表示画面６ａとを重ねることなく一つの表示画面上に表示する。
【００４４】
例えば図２に示すように、アクティブ測定チャネルに設定された測定チャネルＣｈＡのパラメータ設定画面６ａと波形表示画面６ｂとを表示画面の左右に並べて表示し、波形表示画面６ｂの上部に各測定チャネルＣｈＡ，ＣｈＢ，ＣｈＣ，ＣｈＤに対応した測定チャネルキー２ａと全測定チャネル選択キー２ｂとを一直線上に並べて表示する。
【００４５】
［パラメータ設定方法について］
次に、上記のように構成される測定装置１によりパラメータを変更する場合の動作について図３を参照しながら説明する。
【００４６】
まず、設定操作部２を操作して測定チャネルＣｈＡ，ＣｈＢ，ＣｈＣ，ＣｈＤの中から一つの測定チャネルを選択し、選択した測定チャネルを表示部６の表示画面にパラメータ設定画面６ｂを表示するアクティブ測定チャネルとして設定する（ＳＴ１）。例えば測定チャネルＣｈＡ、ＣｈＢ、ＣｈＣ、ＣｈＤの中から測定チャネルＣｈＡを選択し、選択した測定チャネルＣｈＡをアクティブ測定チャネルとして設定する。
【００４７】
次に、測定チャネルＣｈＡ，ＣｈＢ，ＣｈＣ，ＣｈＤそれぞれの測定チャネルキー２ａのＯｎ／Ｏｆｆを設定する（ＳＴ２）。例えば図４に示すように、測定チャネルＣｈＡ，ＣｈＢ，ＣｈＣ，ＣｈＤの測定チャネルキー２ａ（２ａ１，２ａ２，２ａ３，２ａ４）をＯｎに設定したり、例えば図７に示すように、測定チャネルＣｈＡ、ＣｈＢの測定チャネルキー２ａ（２ａ１，２ａ２）をＯｎに設定し、測定チャネルＣｈＣ、ＣｈＤの測定チャネルキー２ａ（２ａ３，２ａ４）をＯｆｆに設定する。
【００４８】
以上の設定が行われると、パラメータ制御部４は、全測定チャネル選択キー２ｂがＯｎか否かを判別する（ＳＴ３）。
【００４９】
そして、パラメータ制御部４は、全測定チャネル選択キー２ｂがＯｎであると判別すると（ＳＴ３−Ｙｅｓ）、アクティブ測定チャネルに設定された測定チャネル（例えば測定チャネルＣｈＡ）のパラメータに変更ありか否かを判別する（ＳＴ４）。
【００５０】
そして、パラメータ制御部４は、アクティブ測定チャネルに設定された測定チャネルのパラメータに変更ありと判別すると（ＳＴ４−Ｙｅｓ）、アクティブ測定チャネルに設定された測定チャネルのパラメータの変更に合わせてＯｎ／Ｏｆｆ状態にかかわらず他の測定チャネルのパラメータを変更する（ＳＴ５）。
【００５１】
なお、上記ＳＴ５において、アクティブ測定チャネルに設定された測定チャネルのパラメータの変更に合わせてＯｎ状態の他の測定チャネルのパラメータを変更してもよい。
【００５２】
これに対し、パラメータ制御部４がアクティブ測定チャネルに設定された測定チャネルのパラメータに変更なしと判別すると（ＳＴ４−Ｎｏ）、処理を終了する。
【００５３】
パラメータ制御部４は、ＳＴ３において、全測定チャネル選択キー２ｂがＯｆｆであると判別すると（ＳＴ３−Ｎｏ）、アクティブ測定チャネルに設定された測定チャネル（例えばＣｈＡ）のパラメータの変更をＯｎ／Ｏｆｆ状態にかかわらず他の測定チャネル（例えばＣｈＢ，ＣｈＣ，ＣｈＤ）に反映するパラメータの変更を行わずに禁止する。すなわち、全測定チャネル選択キー２ｂがＯｎからＯｆｆに切り替わった時点では、アクティブ測定チャネルに設定された測定チャネルのパラメータがＯｎ／Ｏｆｆ状態にかかわらず他の測定チャネルのパラメータに反映するようなパラメータの変更は行われない。
【００５４】
なお、上記ＳＴ３−Ｎｏにおいて、アクティブ測定チャネルに設定された測定チャネル（例えばＣｈＡ）のパラメータの変更をＯｎ状態の他の測定チャネル（例えばＣｈＢ，ＣｈＣ，ＣｈＤ）に反映するパラメータの変更を行わずに禁止してもよい。
【００５５】
次に、パラメータ制御部４は、全測定チャネル選択キー２ｂがＯｆｆ状態ままアクティブ測定チャネルに設定された測定チャネルのパラメータに変更ありか否かを判別する（ＳＴ６）。
【００５６】
そして、パラメータ制御部４は、全測定チャネル選択キー２ｂがＯｆｆ状態のままアクティブ測定チャネルに設定された測定チャネルのパラメータに変更ありと判別すると（ＳＴ６−Ｙｅｓ）、アクティブ測定チャネルに設定された測定チャネルのみのパラメータを変更し（ＳＴ７）、処理を終了する。
【００５７】
これに対し、パラメータ制御部４は、全測定チャネル選択キー２ｂがＯｆｆ状態のままアクティブ測定チャネルに設定された測定チャネルのパラメータに変更なしと判別すると（ＳＴ６−Ｎｏ）、処理を終了する。
【００５８】
［パラメータ変更時の動作例について］
次に、上述したパラメータを変更する場合の具体的な動作例について図４〜図７を参照しながら説明する。
【００５９】
［例１］
図４に示すように、測定チャネルＣｈＡがアクティブ測定チャネルに設定され、全ての測定チャネルＣｈＡ，ＣｈＢ，ＣｈＣ，ＣｈＤの測定チャネルキー２ａ１，２ａ２，２ａ３，２ａ４がＯｎ状態に設定され、全測定チャネル選択キー２ｂがＯｎ状態に設定されているものとする。また、全ての測定チャネルＣｈＡ，ＣｈＢ，ＣｈＣ，ＣｈＤのパラメータ「Ｓｉｇｎａｌ  Ｔｙｐｅ」が「ＮＲＺ」に設定されているものとする。
【００６０】
全測定チャネル選択キー２ｂがＯｎ状態のときに、アクティブ測定チャネルに設定された測定チャネルＣｈＡのパラメータ「Ｓｉｇｎａｌ  Ｔｙｐｅ」を「ＮＲＺ」から「ＰＡＭ４」に変更すると、このパラメータ「Ｓｉｇｎａｌ  Ｔｙｐｅ」の変更に合わせ、測定チャネルキー２ａ２，２ａ３，２ａ４がＯｎ状態の他の全ての測定チャネルＣｈＢ，ＣｈＣ，ＣｈＤのパラメータ「Ｓｉｇｎａｌ  Ｔｙｐｅ」が測定チャネルＣｈＡと同じく「ＮＲＺ」から「ＰＡＭ４」に変更される。これにより、アクティブ測定チャネルである測定チャネルＣｈＡで変更されたパラメータがＯｎ状態の他の全ての測定チャネルのパラメータに反映される。
【００６１】
［例２］
図５に示すように、測定チャネルＣｈＡがアクティブ測定チャネルに設定され、全ての測定チャネルＣｈＡ，ＣｈＢ，ＣｈＣ，ＣｈＤの測定チャネルキー２ａ１，２ａ２，２ａ３，２ａ４がＯｎ状態に設定され、全測定チャネル選択キー２ｂがＯｆｆ状態に設定されているものとする。また、全ての測定チャネルＣｈＡ，ＣｈＢ，ＣｈＣ，ＣｈＤのパラメータ「Ｓｉｇｎａｌ  Ｔｙｐｅ」が「ＮＲＺ」に設定されているものとする。
【００６２】
全測定チャネル選択キー２ｂがＯｆｆ状態のときに、アクティブ測定チャネルに設定された測定チャネルＣｈＡのパラメータ「Ｓｉｇｎａｌ  Ｔｙｐｅ」を「ＮＲＺ」から「ＰＡＭ４」に変更すると、アクティブ測定チャネルに設定された測定チャネルＣｈＡのパラメータ「Ｓｉｇｎａｌ  Ｔｙｐｅ」のみが「ＮＲＺ」から「ＰＡＭ４」に変更される。
【００６３】
［例３］
図６に示すように、測定チャネルＣｈＡがアクティブ測定チャネルに設定され、全ての測定チャネルＣｈＡ，ＣｈＢ，ＣｈＣ，ＣｈＤの測定チャネルキー２ａ１，２ａ２，２ａ３，２ａ４がＯｎ状態に設定され、全測定チャネル選択キー２ｂがＯｆｆ状態に設定されているものとする。また、測定チャネルＣｈＡのパラメータ「Ｓｉｇｎａｌ  Ｔｙｐｅ」が「ＰＡＭ４」に設定され、ＣｈＢ，ＣｈＣ，ＣｈＤのパラメータ「Ｓｉｇｎａｌ  Ｔｙｐｅ」が「ＮＲＺ」に設定されているものとする。
【００６４】
この場合、Ｏｆｆ状態の全測定チャネル選択キー２ｂがＯｎ状態に変更されただけでは、アクティブ測定チャネルに設定された測定チャネルのパラメータの変更をＯｎ／Ｏｆｆ状態にかかわらず又はＯｎ状態の他の測定チャネルのパラメータに反映する設定変更を行わずに禁止する。すなわち、全測定チャネル選択キー２ｂがＯｆｆ状態からＯｎ状態に変更された後、アクティブ測定チャネルに設定された測定チャネルのパラメータが変更されなければ、Ｏｎ／Ｏｆｆ状態にかかわらず又はＯｎ状態の他の測定チャネルのパラメータが変更されることはない。これにより、測定チャネルＣｈＡ，ＣｈＢ，ＣｈＣ，ＣｈＤに対し、個別設定したいパラメータと、全体に設定したいパラメータが混在する場合でも設定を可能にしている。
【００６５】
［例４］
図７に示すように、測定チャネルＣｈＡがアクティブ測定チャネルに設定され、測定チャネルＣｈＡ，ＣｈＢの測定チャネルキー２ａ１，２ａ２がＯｎ状態に設定され、測定チャネルＣｈＣ，ＣｈＤの測定チャネルキー２ａ３，２ａ４がＯｆｆ状態に設定され、全測定チャネル選択キー２ｂがＯｎ状態に設定されているものとする。また、全ての測定チャネルＣｈＡ，ＣｈＢ，ＣｈＣ，ＣｈＤのパラメータ「Ｓｉｇｎａｌ  Ｔｙｐｅ」が「ＮＲＺ」に設定されているものとする。
【００６６】
全測定チャネル選択キー２ｂがＯｎ状態のときに、アクティブ測定チャネルに設定された測定チャネルＣｈＡのパラメータ「Ｓｉｇｎａｌ  Ｔｙｐｅ」を「ＮＲＺ」から「ＰＡＭ４」に変更すると、このパラメータ「Ｓｉｇｎａｌ  Ｔｙｐｅ」の変更に合わせ、測定チャネルキー２ａ２がＯｎ状態の測定チャネルＣｈＢのパラメータ「Ｓｉｇｎａｌ  Ｔｙｐｅ」が測定チャネルＣｈＡと同じく「ＮＲＺ」から「ＰＡＭ４」に変更される。これに対し、測定チャネルキー２ａ３，２ａ４がＯｆｆ状態の測定チャネルＣｈＣ，ＣｈＤのパラメータ「Ｓｉｇｎａｌ  Ｔｙｐｅ」は「ＮＲＺ」のまま変更されない。すなわち、Ｏｆｆ状態の測定チャネルキー２ａ３，２ａ４の測定チャネルＣｈＣ，ＣｈＤには、アクティブ測定チャネルに設定された測定チャネルＣｈＡの設定が反映されない。
【００６７】
このように、本実施の形態では、複数の測定チャネルＣｈＡ，ＣｈＢ，ＣｈＣ，ＣｈＤの中からアクティブ測定チャネルに設定された一つの測定チャネル（例えば測定チャネルＣｈＡ）のパラメータ設定画面６ａを表示し、パラメータ設定画面６ａ上でパラメータの設定変更を行い、全測定チャネル選択キー２ｂのＯｎ／Ｏｆｆ状態に応じてアクティブ測定チャネルに設定された測定チャネルのパラメータの変更をＯｎ／Ｏｆｆ状態にかかわらず他の全ての測定チャネルのパラメータに反映させて設定を行う。
【００６８】
また、全測定チャネル選択キー２ｂのＯｎ／Ｏｆｆ状態に応じてアクティブ測定チャネルに設定された測定チャネルのパラメータの変更をＯｎ状態の他の全ての測定チャネルのパラメータに反映させて設定を行うようにしてもよい。
【００６９】
これにより、パラメータ設定画面６ａの表示スペースが１チャネル分で済むので、複数の測定チャネルごとにパラメータを変更する従来の手法と比較して、表示スペースを節約することができる。例えば、測定チャネルが４チャネルの場合には、表示スペースを１／４にできる。このため、パラメータ設定画面６ａと波形表示画面６ｂとを一つの表示画面上に重なることなく並べて表示し、波形表示画面６ｂの波形の状態を観察しながら測定チャネルのパラメータを変更することができる。また、余った表示スペースに他の表示内容を分配することもでき、従来に比べて操作性や視認性が向上する。
【００７０】
また、複数の測定チャネルのパラメータに同一の設定を行う場合には、操作のステップ数を減らすことができる。例えば、４測定チャネルが４チャネルの場合には、操作のステップ数を１／４にできる。さらに、複数の測定チャネルで、同一にしたい設定と個別にしたい設定が存在する場合にも対応できる。
【００７１】
以上、本発明に係る測定装置および測定方法の最良の形態について説明したが、この形態による記述および図面により本発明が限定されることはない。すなわち、この形態に基づいて当業者等によりなされる他の形態、実施例および運用技術などはすべて本発明の範疇に含まれることは勿論である。
【符号の説明】
【００７２】
１  測定装置
２  設定操作部
２ａ（２ａ１，２ａ２，２ａ３，２ａ４）  測定チャネルキー
２ｂ  全測定チャネル選択キー
３（３Ａ，３Ｂ，３Ｃ，３Ｄ）  測定部
３ａ  信号測定部
３ｂ  波形測定部
４  パラメータ制御部
５  表示制御部
６  表示部
６ａ  パラメータ設定画面
６ｂ  波形表示画面
１１  パラメータ設定画面
ＣｈＡ，ＣｈＢ，ＣｈＣ，ＣｈＤ  測定チャネル
Ｗ  被測定物
【図１】
2020016953.tif 000003
【図２】
2020016953.tif 000004
【図３】
2020016953.tif 000005
【図４】
2020016953.tif 000006
【図５】
2020016953.tif 000007
【図６】
2020016953.tif 000008
【図７】
2020016953.tif 000009
【図８】
2020016953.tif 000010